(57)【要約】【課題】  傾斜が急な道路上で運転するときに、ブレーキ・ペダルを運転者が作動させているか否かには関係なく、追加の制動モーメントを調節する坂下り制御システムを提供する。【解決手段】  自動車の制動機器における坂下り制御システムは、運転者の作動には関係なく、アンチ・ロッキング制御機能および制動機能の双方に合わせて設計されている電気制御可能サービス・ブレーキ・システムと、自動車の個々の車輪に対して発生し、坂下り制御によって制御するそれぞれの操作対象変数である、制動圧力または制動モーメントの個々の調節を可能にするブレーキ・アクチュエータと、自動車の動作状態に関する変数を直接的または間接的に検出し、ブレーキ・ペダルが作動されているか否かには関係なく、傾斜が急な道路上で運転するときに、追加の制動モーメントを調節する、電子制御および／または規制のために設けられている電子制御ユニットとを備えている。【選択図】      図１
2009505892.tif 000002
【特許請求の範囲】
【請求項１】
自動車の制動機器における坂下り制御（ＨＤＣ）のためのシステムであって、
電気制御可能サービス・ブレーキ・システムと、
自動車の個々の車輪（ｉ）に対して発生し、前記坂下り制御（ＨＤＣ）によって制御するそれぞれの操作対象変数である、制動圧力（p_RAD,i）または制動モーメントの個々の調節を可能にするブレーキ・アクチュエータと、
前記自動車の動作状態に関する変数を直接的または間接的に検出し、傾斜が急な道路上で運転するときに、追加の制動モーメントを調節するために設けられている電子制御ユニットと、
を備えており、
前記被操作変数を調節する結果生ずる前記自動車の挙動制御を、制御変数である現在の自動車速度v_ISTを用いて連続的に検出し、
前記制御変数v_ISTを、基準変数である、所望の自動車速度v_SOLLと比較し、
目標変数v_ZIELおよび前記制御変数v_ISTに応じて、前記基準変数v_SOLLを適応させるＨＤＣ調節器を備えていることを特徴とする、システム。  
【請求項２】
請求項１記載のシステムにおいて、前記ＨＤＣ調節器は、ＯＮ／ＯＦＦ信号に応じて前記基準変数v_SOLLを適応させるために設けられている、システム。
【請求項３】
請求項１または２記載のシステムにおいて、前記電子制御ユニットは、ブレーキ・ペダルを作動させているか否かには関係なく、追加の制動モーメントを調節する、システム。  
【請求項４】
請求項１〜３のいずれか１項に記載のシステムにおいて、前記電気制御可能サービス・ブレーキ・システムは、運転者の作動には関係なく、アンチ・ロッキング制御機能（ＡＢＳ）および制動機能（ＡＳＲ、ＥＳＰ）の双方に合わせて設計されている、システム。
【請求項５】
請求項１〜４のいずれか１項に記載のシステムにおいて、前記比較の結果をブレーキ・レギュレータに供給し、該ブレーキ・レギュレータは、前記ブレーキ・アクチュエータを通じて、前記比較の結果に応じて、前記基準変数v_SOLLに合わせる方向に前記制御変数v_ISTを制御する、システム。
【請求項６】
請求項５記載のシステムにおいて、前記比較の結果をブレーキ・レギュレータに供給し、該ブレーキ・レギュレータは、前記ブレーキ・アクチュエータを通じて、前記比較の結果に応じて、前記基準変数v_SOLLに合わせる方向に前記制御変数v_ISTを制御する、システム。
【請求項７】
請求項１〜６のいずれか１項に記載のシステムにおいて、前記ブレーキ・レギュレータは、比例および／または積分および／または微分成分を組み合わせることにより、Ｐレギュレータ、ＰＩレギュレータ、またはＰＩＤレギュレータに指定する、システム。
【請求項８】
請求項１〜７のいずれか１項に記載のシステムにおいて、前記制御回路の上流に判断ユニットを配置し、運転者の望み、前記自動車の動作状態等のような外部または内部変数を用いて、それぞれの基準変数v_SOLLを前記制御回路に供給するために特定の機能を優先する、システム。
【請求項９】
請求項８記載のシステムにおいて、前記機能は、運転者が予め決定した所望の速度を維持し、自動制動によって、個々の自動車の速度に応じて、前方を運転中の自動車からの距離を維持する速度レギュレータ（ＡＣＣ）である、システム。
【請求項１０】
請求項８記載のシステムにおいて、前記機能は、ＢＢＷユニットの場合制動要求を伝達するため、更に運転者が制御する従来の制動を優先して、動作中の自動ＨＤＣを中断させてもよいか否か判断するために、前記ブレーキ・ペダルの作動の結果生ずる、運転者の制動要求である、システム。
【請求項１１】
請求項１〜１０のいずれか１項に記載のシステムにおいて、ブレーキ・アクチュエータとして、電気油圧制御ユニット、電子的制御可能ブレーキ・ブースタ、またはワイヤによるブレーキ機器を設ける、システム。
【請求項１２】
請求項１〜１１のいずれか１項に記載のシステムにおいて、前記目標変数v_ZIELは、ＨＤＣモードにおいて坂下りを行うことを意図する所望の速度である、システム。
【請求項１３】
請求項１２記載のシステムにおいて、前記所望の速度は、既定の一定変数、またはある範囲内において動作要素を用いて運転者が選択可能な変数のいずれかである、システム。
【請求項１４】
請求項１３記載のシステムにおいて、前記所望の速度は、前記自動車内に設けられている巡航制御動作要素によって調節可能である、システム。
【請求項１５】
請求項１２または１３記載のシステムにおいて、前記所望の速度は、前記加速ペダルを作動させることによって運転者によって上昇させることができ、前記ブレーキ・ペダルを作動させることによって低下させることができる、システム。
【請求項１６】
請求項１〜１５のいずれか１項に記載のシステムにおいて、前記所望の速度は、現在運転している道路の傾斜に応じて変化することができ、傾斜が急な程、所望の速度は低くなる、そしてその逆である、システム。
【請求項１７】
請求項２〜１６のいずれか１項に記載のシステムにおいて、運転者が前記ＨＤＣモードを活性化することを望むとき、第１ステップにおいて、前記ＯＮ／ＯＦＦ信号は、動作要素によって前記システムに伝達される、システム。
【請求項１８】
請求項１７記載のシステムにおいて、第２ステップにおいて、前記ＨＤＣモードの活性化の前に、このような活性化を確認のために監視する、システム。
【請求項１９】
請求項１８記載のシステムにおいて、確認の監視のために、前記自動車の動作状態から得た特定の判断基準を監視する、システム。
【請求項２０】
請求項１９記載のシステムにおいて、前記自動車の以下の動作状態を監視する、システム。
（ｉ）現在の自動車の速度は低速未満か、および／または
（ｉｉ）低いギアが係合されているか、および／または
（ｉｉｉ）自動車が上り坂を運転していないか。
【請求項２１】
請求項２０記載のシステムにおいて、前記監視に対して肯定的な結果の場合、第３ステップにおいて、前記基準変数v_SOLLを前記目標関数v_ZIELに合わせる、システム。
【請求項２２】
請求項２１記載のシステムにおいて、前記基準変数v_SOLLの前記目標変数v_ZIELへの適応化は、前記制御変数v_ISTに応じて行われ、前記制御変数v_ISTに対して実質的に一定のオフセットΔｖを負または正方向に適用することによって、時間に応じてv_IST-Δｖおよびv_IST+Δｖを決定する、システム。
【請求項２３】
請求項２２記載のシステムにおいて、
第１範囲（v_ist-Δ＞v_ZIEL）に対して、v_SOLL:＝v_IST-Δｖを適用することにより、制御変数v_ISTに応じて均一に前記基準変数v_SOLLを前記目標変数v_ZIELに近づけ、および／または、
第２範囲(v_IST-Δｖ＜＝v_ZIEL）において、v_SOLL:=v_ZIELを適用することにより、前記制御変数からオフセットΔｖを減算した値が前記目標変数v_ZIELに達するか、または当該目標変数v_ZIELを下回ると直ちに、前記目標変数v_ZIELを前記基準変数v_SOLLとして直ちに受け入れ、および／または、
第３範囲（v_IST+Δｖ＞＝v_ZIEL)において、v_SOLL:=v_ZIELまたはv_SOLL:=v_IST+Δｖを適用することにより、前記目標変数v_ZIELを直ちに前記基準変数v_SOLLとして受け入れるか、または前記制御変数v_ISTに応じて均一に前記基準変数v_SOLLを前記目標変数v_ZIELに近づける、システム。
【請求項２４】
請求項２２または２３記載のシステムにおいて、制御変数v_ISTが増加すると前記オフセットΔｖが大きくなるように、前記制御変数v_ISTに応じて前記オフセットを動的に変化させる、システム。
【発明の詳細な説明】
【技術分野】
【０００１】
本発明は、自動車のためのいわゆる「坂下り制御」（ＨＤＣ）システム、即ち、下り坂を運転する自動車の速度制御システムに関する。このような坂下り制御において、本発明は、この場合、「坂下り制御の実行」および「外乱変数としての下り坂運動量(downhill momentum)のフィードフォワード制御」という態様に関する。
【背景技術】
【０００２】
坂下り制御システムは、とりわけ、ＥＰ  ０  ８５６  ４４６Ｂ１から公知である。これは、傾斜が急な道路、特に、オフ・ロードで運転するときの自動車の牽引および運転安定性を確保するために用いられる。前述のシステムは、複数の車輪と、それぞれ車輪の１つを制動することを意図した複数のブレーキと、アクセル・ペダルと、ブレーキ・ペダルと、車輪の１つのロッキング(locking)を検出するための車輪ロック・センサとを備えている車輪付き車両(wheeled vehicle)のために設計されている。制御ユニットは、活性化状態と不活性化状態とを有する。その活性化状態では、検出した自動車速度が所定の所望速度よりも高く、車輪ロッキングが検出されない場合、各ブレーキを作動させて、自動車を制動する。検出した自動車の速度が所望の速度よりも高いときに、連動する車輪のロッキングが検出された場合、ブレーキの１つを解除する。活性化状態に入るとき、制御ユニットは、自動車の速度が所望の速度よりも著しく低い場合にはペダルを作動させることなく、自動車の加速率(rate of acceleration)が所望の速度に達するようにブレーキを制御する。
【０００３】
活性化状態に入るとき、制御ユニットは、自動車の速度を所望の速度と比較して、自動車の速度が所望の速度に近づくように、制動手段を制御する。自動車の速度が所望の速度よりも著しく高い場合、自動車の減速率を所望の速度に向かって制御する。自動車の減速率は、約０．２から０．３ｇの所定の最大値に制限することもできる。活性化状態は、自動車が第１ギアまたは逆転ギアにあるときにのみ選択できるようにしてもよい。活性化状態では、運転者による自動車の制動要求手段の作動の結果、制動量を制御ユニットが供給するよりも増大させるために、制御ユニットを無視する。このように、車輪のロッキングが検出されない場合、自動車を所望の速度未満に減速させる。制御ユニットは、その活性化状態では、検出した自動車の速度が所望の速度未満であるときには、少なくとも部分的にブレーキを解除する。制御ユニットは、手動で動作可能なスイッチによって活性化することができる。検出した自動車の速度が所望の速度未満であるのなら、自動車の加速率が制限値未満となることを確保するために、制御ユニットは、必要であれば、ブレーキを活性化する。
【発明の開示】
【発明が解決しようとする課題】
【０００４】
この場合、特に、軟らかくしかも滑りやすい地面条件により自動車を運転することが非常に難しくなるという問題が生ずる。傾斜が急な道路上での運転を低速で行うと、最低のギアに係合していても、自動車が与える駆動トルクの低減および／または除去は、それ自体では不十分である。代わりに、追加の制動モーメントを車輪に与えなければならない。
【０００５】
最近の自動車には、運転者の作動とは独立した制動機能、即ち、駆動スリップ制御（ＡＳＲ：drive slip control）または駆動力学制御（ＥＳＰ：driving dynamics control)を、アンチ・ロッキング制御機能（ＡＢＳ：anti-locking control function)に加えて実行可能にするために、電気制御可能なサービス・ブレーキ・システムが装備されている。このため、サービス・ブレーキ・システムは、対応して構成した電気油圧制御ユニット、電子的に制御可能なブレーキ・ブースタを備えており、あるいはいわゆる「ワイヤによるブレーキ」（ＢＢＷ）システムとして構成されている。電子制御および／または規制のために、電子制御ユニットが設けられ、電子センサによって、自動車の動作状態に関する変数を検出する。つまり、例えば、ＡＢＳ制御では、自動車の車輪のスリップを、車輪速度センサによって検出し、ロッキングを防止するように、スリップに応じて、自動車の車輪の回転挙動を制御および／または規制する。
【０００６】
ＷＯ０１１４１８５Ａ１は、坂下り制御を備えたサービス・ブレーキ・システムを開示する。坂下り制御を補助するデバイスが、車両の動作状態を検出し、傾斜が急な道路上で運転するとき、ブレーキ・ペダルを作動させたか否かには関係なく、追加の制動モーメントを調節する。車両速度を用いて、操作対象変数の調節の結果生ずる車両の操縦を連続的に検出し、所望の速度と比較する。
【０００７】
ＷＯ９６１１８２６は、坂下り制御を備えたサービス・ブレーキ・システムを開示する。これは、傾斜が急な道路上で運転するときに、ブレーキ・ペダルを作動させているか否かには関係なく、車両の速度が閾値を超過したなら直ぐに、追加の制動モーメントを調節する。
【課題を解決するための手段】
【０００８】
本発明の結果、傾斜が急な道路上で運転するときに、ブレーキ・ペダルを運転者が作動させているか否かには関係なく、追加の制動モーメントを調節するために、電気的に制御可能なサービス・ブレーキ・システムにおける自動制動機能として、「坂下り制御」（ＨＤＣ）を提供する。
【０００９】
その結果、運転者が制動ユニットを作動させる必要がなくなるので、運転者は、危険が多いこのような状況において、自動車のハンドル操作に集中することができる。これに関して、他の場合には設けられるサブ・アセンブリ（制御用コンピュータ、センサ、作動部材、駆動電子回路等）も同時に用いると有利である。設けられる機能（例えば、ＡＢＳまたはＡＳＲ）は、「坂下り制御」の動作中にも利用可能である。
【発明を実施するための最良の形態】
【００１０】
説明のために、本発明による電気的制御可能サービス・ブレーキ・システムを、図１における模式制御ブロック図に示す。
この場合ブレーキ・アクチュエータとして示す構成要素は、例えば、制動圧力p_RAD,iおよび自動車の個々の車輪ｉに対して発生する制動モーメントの個々の調節を可能にする電気油圧制御ユニットに対応する。この場合、それぞれの制動圧力p_RAD,iおよび／またはそれぞれの制動モーメントは、坂下り制御（ＨＤＣ）によって制御される操作対象変数である。制動モーメントを調節することの結果生ずる自動車の挙動の制御は、この場合、制御変数である、現在および／または実際の自動車速度v_ISTを用いて、連続的に検出する。制御変数v_ISTを、基準変数である所望の自動車速度v_SOLLと比較する。この比較の結果を、ブレーキ・レギュレータに供給する。ブレーキ・レギュレータは、ブレーキ・アクチュエータによって、制御変数v_ISTを、比較の結果に応じて、基準変数v_SOLLに合わせる方向に制御する。ブレーキ・アクチュエータは、このために、そして公知のように、例えば、比例および／または積分および／または微分成分を組み合わせることにより、ＰＩレギュレータまたはＰＩＤレギュレータとして設計することができる。
【００１１】
電気制御可能サービス・ブレーキ・システムによってどの機能を実行させるか選択するために、判断ユニットを、実際の制御回路の上流に配置することができる。これは、それぞれの基準変数v_SOLLを制御回路に供給するために、運転者の希望、自動車の動作状態等を用いて、個々の機能に優先順位を付ける。
【００１２】
このような機能は、例えば、「適応巡航制御」（ＡＣＣ）と呼ばれる速度レギュレータとすることができ、巡航コントローラとして知られている従来の速度レギュレータに対して、運転者が予め決定した所望の速度を単に維持するだけでなく、とりわけ、自動制動によって、個々の自動車両の速度に応じて、前方を走行中の自動車両からの距離も維持する。
【００１３】
更に、このような機能は、例えば、運転者の制動要求とすることができ、これはブレーキ・ペダルの作動の結果生じ、第１にＢＢＷユニットの場合制動要求を伝達するため、第２に運転者が制御する従来の制動を優先して、動作中にある自動ＨＤＣを中断してもよいか否か決定するためにある。
【００１４】
更に、本発明は、不快な自動車の操縦という問題にも関する。この問題は、特に、ＨＤＣに入力するときに、制御変数v_ISTと基準変数v_SOLLとの偏差が大きい程明白となる。これは、制御技術に関して、即ち、ブレーキ・レギュレータの適した設計によって克服することができる。しかしながら、これは、種々のその他の制動機能（ＡＢＳ、ＡＳＲ等、上の説明を参照のこと）のために共通の制御構造を用いるという目標とは矛盾する場合もある。
【００１５】
したがって、図１に示すように、ＨＤＣ調節器を提案する。これは、目標変数v_ZIEL、ＯＮ／ＯＦＦ信号、および制御変数v_ISTに応じて、基準変数v_SOLLを適応させるものである。
【００１６】
目標変数v_ZIELは、ＨＤＣの範囲内において坂下りを行うことを意図する所望の速度である。これに関して、この変数は、システムにおける既定の一定変数、例えば、v_ZIEL＝８ｋｍ／ｈ、または例えば、範囲が５ｋｍ／ｈ＜v_ZIEL＜２０ｋｍ／ｈ以内の動作要素、例えば、ポテンショメータを用いて運転者が選択することができる変数でもよい。自動車両に巡航コントローラまたはＡＣＣが装備されている場合、この目的のために設けられる動作要素を用いて、目標変数v_ZIELを調節するために、これを備えることができる。運転者によって目標変数v_ZIELを変化させる更に別の可能性は、アクセル・ペダルを作動させることによって目標変数v_ZIELを増大させること、およびブレーキ・ペダルを作動させることによって目標変数v_ZIELを減少させることである。最後に、現在運転している道路の傾斜に応じて、目標変数v_ZIELを変化させることも可能である。更に具体的には、傾斜が急な程、所望の速度を低下させる、および／またはその逆にすることも可能である。
【００１７】
ＯＮ／ＯＦＦ信号は、動作要素、例えば、スイッチによって発生し、これを通じて、運転者は初期状態においてシステムに、ＨＤＣを活性化させたいことを伝達する。第１ステップにおいて、ＨＤＣを活性化したい場合、第２ステップにおいて、ＨＤＣの活性化を、したがって、確認のために監視する。この監視には、以下を含む自動車の動作状態を用いて、具体的な判断基準を用いる。
【００１８】
現在の自動車の速度は低速未満か（例えば、v_IST＜３０ｋｍ／ｈ）。
最低のギア（例えば、第１ギア）が係合されているか。
自動車は上り坂を運転中ではないか。
【００１９】
監視が肯定的に終了した場合、第３ステップにおいて、基準変数v_SOLLを目標変数v_ZIELに合わせる。
基準変数v_SOLLをどのように目標変数v_ZIELに合わせればよいか、または近づければよいかについて、好適な実施形態を図２による速度−時間図において示す。
【００２０】
同時に、制御変数v_ISTに応じて適応化も行い、制御変数v_ISTに負および正方向にオフセットΔｖを適用する。得られるパスv_SIT-Δｖおよびv_IST+Δｖは、時間に応じて、点ＡおよびＢにおいて一定目標変数v_ZIELのパスと交差する。その結果、セクタＩ、ＩＩおよびＩＩＩが決定され、これらに対して、基準変数v_SOLL をそれぞれ以下のように設定する。
【００２１】
セクタＩを以下の条件によって決定する。
v_IST-Δｖ＞v_ZIEL
これが満たされる場合、次の式を適用する。
【００２２】
v_SOLL:＝v_IST-Δｖ
その結果、基準変数v_SOLLは、制御変数v_ISTに応じて均一に目標変数v_ZIELに近づいていくので、特にＨＤＣに入力するときには、自動車の運転が非常に快適に行われる。
【００２３】
セクタＩＩを以下の条件によって決定する。
v_IST-Δｖ＜＝v_ZIEL
これが満たされる場合、次の式を適用する。
【００２４】
v_SILL:＝v_ZIEL
これが意味するのは、制御変数v_ISTからオフセットΔｖを減算した値が目標変数v_ZIELに達するか、または目標変数v_ZIELを下回ると直ちに、動的制御挙動を遂行するために、目標変数v_ZIELを基準変数v_SOLLとして直ちに受け入れるということである。
【００２５】
セクタＩＩＩを以下の条件によって決定する。
v_IST+Δｖ＝v_ZIEL
これが満たされる場合、以下の式のいずれかを適用する。
【００２６】
v_SOLL:＝v_ZIEL、または
v_SOLL:＝v_IST+Δｖ
この場合、セクタＩＩと同様、目標変数v_ZIELを直ちに基準変数v_SOLLとして受け入れるか、または動的制御挙動の減少が望まれる場合、制御変数v_ISTに応じて均一に基準変数v_SOLLを目標変数v_ZIELに近づける。動的制御挙動の減少が望まれるのは、例えば、坂下りの終点に向かい、道路の傾斜が減少しつつあり、下り坂力の影響を低減させることによって、実際の自動車の速度v_ISTを短期間落とすとよいときである。
【００２７】
代案として、制御変数v_ISTに応じた定数として、制御変数v_ISTが増加するとオフセットΔｖも大きくなる方向に、オフセットΔｖを動的に変化させ、図にに示すようにパスv_IST-Δｖおよびv_IST+Δｖには直線が得られず、包絡曲線が得られるようにしてもよい。その結果、セクタＩにおける基準変数v_SOLLを一層迅速に目標変数v_ZIELに近づけることを達成することができる。即ち、これは、特に有利なのは、ＨＤＣに入力するときに、制御変数v_ISTが際だって目標変数v_ZIELよりも大きい（即ち、所定値よりも大きい）場合である。
【００２８】
更に、本発明は、傾斜が急な道路上で運転しているときに非常に高くなる可能性があるＨＤＣに対する下り坂力の影響に関する。
原理上、下り坂力の影響は、ブレーキ・レギュレータによって補償する。これは、制御変数が、自動車が前進するときの現在のおよび／または実際の自動車速度v_ISTであるからである。しかしながら、例えば、坂道に入るときおよび出るときに、傾斜角度の変動または急激な変化に遭遇する場合があり、このために制御変数v_ISTの時間応答にオーバーシュートおよび／またはアンダーシュートが生ずる原因となる。その結果生ずる加速および／または減速段階のために、運転者が非常に不快に感ずる。この問題は、例えば、適応型レギュレータのようなブレーキ・レギュレータの適した設計によって、制御技術に関して解決することができる。しかしながら、これは、既に先に説明したように、異なる制動機能に共通の制御構造を用いるという目標と矛盾が生ずる可能性がある。
【００２９】
図１に示したように、下り坂運動量補償回路を用いて、この問題を解決する。下り坂運動量補償回路は、現在運転している坂道a_NEIGUNGの現在の傾斜および／または実際の傾斜に応じて下り坂運動量補償回路が決定する補正信号a_Nを、ブレーキ・レギュレータの出力信号a_Rに重畳する。傾斜a_NEIGUNGのブレーキ・レギュレータの出力へのフィードバックの結果、制御回路に対するその影響はほぼ完全に補償されるので、ブレーキ・レギュレータの動的挙動に対する悪影響は全くない。ブレーキ・レギュレータは、制御の品質に関与するので、自動車が平坦な道を移動するという単純な場合に合わせて設計しさえすればよい。その結果、制御技術に関する利点に加えて、必要とされる装置（コンピュータ容量／メモリ容量等）の複雑さやコストも低く抑えることができる。更に別の利点は、本発明による下り坂運動量補償回路は、例えば、ＡＣＣのような、他の機能も用いてもよいことである。
【００３０】
理想的には、測定技法に基づいて適したセンサ手段（例えば、傾斜計）によって傾斜a_NEIGUNGを検出し、下り坂運動量補償回路に入力変数として供給する。自動車がセンサ手段を用いて自動車の全体的長手方向加速度を検出する場合、自動車の全体的長手方向加速度から車輪速度センサの信号を減算することによって検出される自動車の長手方向加速度によって、傾斜も検出することができる。
【００３１】
下り坂運動量補償回路は、自動車のパラメータ（例えば、重量）、および自動車の動作状態（例えば、負荷状態）を用いることによって、傾斜a_NEIGUGに基づいて、補正信号a_Nを検出する。
【００３２】
ブレーキ・レギュレータの出力信号a_Rを減速として測定する場合、補正信号a_Nも減速として測定され、その結果、傾斜a_NEIGUNGが増加すると、ブレーキ・アクチュエータが要求する減速も増加する。
【００３３】
傾斜a_NEIGUNGの値は、約＋４５゜および約−４５゜の間で変化する可能性がある。
要約すると、本発明によるシステムの以下の基礎的原理および利点をあげることができる。
【００３４】
・本発明によるＨＤＣモードにおける速度制御に対する所望の値は、現在の自動車の速度、（可変）目標速度、および所望の速度と現在の自動車の速度との間の動的変動最大偏差の関数である。
【００３５】
・本発明によるＨＤＣモードの間、急峻な制御作用を回避することにより、車両操縦の快適さが向上する。
・本発明にしたがって所望の値を決定するときに、現在の自動車の速度を考慮に入れる。その結果、運転の操縦が自然に感じられる。
【００３６】
・本発明によれば、目標速度が制限範囲内にない場合、自動車の速度に応じて、所望の速度を決定する。
・本発明によるシステムは、可変目標速度でも動作する。
【００３７】
・本発明による下り坂運動量補償回路は、自動車両が実質的に平坦な地面上を移動するという事実に基づく従来の制御構造および制御アルゴリズムの使用を可能にする。これに関して、下り坂力および／または坂下り加速度を検出し、外乱変数として制御回路に供給する。これによって、傾斜(incline/gradient)が変化する場合でも、制御アルゴリズムが単純となり、コントローラの反応時間が短縮する。
【００３８】
最後に、本発明は、それ以外では設けられる、ブレーキ機器の電子制御ユニットのコンピュータ・ユニット上のソフトウェアとして実施することもできるので、ハードウェアのコスト上昇が生じないことも注記しておく。
【図面の簡単な説明】
【００３９】
【図１】本発明による電気的制御可能サービス・ブレーキ・システムの模式制御ブロック図である。
【図２】基準変数v_SOLLをどのように目標変数v_ZIELに合わせればよいか、または近づければよいかについて示す好適な実施形態の速度−時間図である。
【図１】
2009505892.tif 000003
【図２】
2009505892.tif 000004
【手続補正書】
【提出日】平成19年7月2日(2007.7.2)
【手続補正１】
【補正対象書類名】特許請求の範囲
【補正対象項目名】全文
【補正方法】変更
【補正の内容】
【特許請求の範囲】
【請求項１】
自動車の制動機器における坂下り制御（ＨＤＣ）のためのシステムであって、
電気制御可能サービス・ブレーキ・システムと、
自動車の個々の車輪（ｉ）に対して発生し、前記坂下り制御（ＨＤＣ）によって制御するそれぞれの操作対象変数である、制動圧力（p_RAD,i）または制動モーメントの個々の調節を可能にするブレーキ・アクチュエータと、
前記自動車の動作状態に関する変数を直接的または間接的に検出し、傾斜が急な道路上で運転するときに、追加の制動モーメントを調節するために設けられている電子制御ユニットと、
現在運転している坂道（a_NEIGUNG）の現在の傾斜および／または実際の傾斜に応じて補正信号（a_N）を決定し、補正信号（a_N）をブレーキ・レギュレータの出力信号（a_R）に重畳し、前記坂道（a_NEIGUNG）の測定信号を前記ブレーキ・レギュレータの出力に帰還する、下り坂運動量補償回路と、
を備えており、
前記被操作変数を調節する結果生ずる前記自動車の挙動制御を、制御変数である現在の自動車速度v_ISTを用いて連続的に検出し、
前記制御変数v_ISTを、基準変数である、所望の自動車速度v_SOLLと比較し、
目標変数v_ZIELおよび前記制御変数v_ISTに応じて、前記基準変数v_SOLLを適応させるＨＤＣ調節器を備えており、
第１範囲（v_ist-Δ＞v_ZIEL）に対して、v_SOLL:＝v_IST-Δｖを適用することにより、制御変数v_ISTに応じて均一に前記基準変数v_SOLLを前記目標変数v_ZIELに近づけ、および／または、
第２範囲(v_IST-Δｖ＜＝v_ZIEL）において、v_SOLL:=v_ZIELを適用することにより、前記制御変数からオフセットΔｖを減算した値が前記目標変数v_ZIELに達するか、または当該目標変数v_ZIELを下回ると直ちに、前記目標変数v_ZIELを前記基準変数v_SOLLとして直ちに受け入れ、および／または、
第３範囲（v_IST+Δｖ＞＝v_ZIEL)において、v_SOLL:=v_ZIELまたはv_SOLL:=v_IST+Δｖを適用することにより、前記目標変数v_ZIELを直ちに前記基準変数v_SOLLとして受け入れるか、または前記制御変数v_ISTに応じて均一に前記基準変数v_SOLLを前記目標変数v_ZIELに近づける、システム。  
【請求項２】
請求項１記載のシステムにおいて、前記ＨＤＣ調節器は、ＯＮ／ＯＦＦ信号に応じて前記基準変数v_SOLLを適応させるために設けられている、システム。
【請求項３】
請求項１または２記載のシステムにおいて、前記電子制御ユニットは、ブレーキ・ペダルを作動させているか否かには関係なく、追加の制動モーメントを調節する、システム。  
【請求項４】
請求項１〜３のいずれか１項に記載のシステムにおいて、前記電気制御可能サービス・ブレーキ・システムは、運転者の作動には関係なく、アンチ・ロッキング制御機能（ＡＢＳ）および制動機能（ＡＳＲ、ＥＳＰ）の双方に合わせて設計されている、システム。
【請求項５】
請求項１〜４のいずれか１項に記載のシステムにおいて、前記比較の結果をブレーキ・レギュレータに供給し、該ブレーキ・レギュレータは、前記ブレーキ・アクチュエータを通じて、前記比較の結果に応じて、前記基準変数v_SOLLに合わせる方向に前記制御変数v_ISTを制御する、システム。
【請求項６】
請求項１〜５のいずれか１項に記載のシステムにおいて、前記ブレーキ・レギュレータは、比例および／または積分および／または微分成分を組み合わせることにより、Ｐレギュレータ、ＰＩレギュレータ、またはＰＩＤレギュレータに指定する、システム。
【請求項７】
請求項１〜６のいずれか１項に記載のシステムにおいて、前記制御回路の上流に判断ユニットを配置し、運転者の望み、前記自動車の動作状態等のような外部または内部変数を用いて、それぞれの基準変数v_SOLLを前記制御回路に供給するために特定の機能を優先する、システム。
【請求項８】
請求項７記載のシステムにおいて、前記機能は、運転者が予め決定した所望の速度を維持し、自動制動によって、個々の自動車の速度に応じて、前方を運転中の自動車からの距離を維持する速度レギュレータ（ＡＣＣ）である、システム。
【請求項９】
請求項７記載のシステムにおいて、前記機能は、ＢＢＷユニットの場合制動要求を伝達するため、更に運転者が制御する従来の制動を優先して、動作中の自動ＨＤＣを中断させてもよいか否か判断するために、前記ブレーキ・ペダルの作動の結果生ずる、運転者の制動要求である、システム。
【請求項１０】
請求項１〜９のいずれか１項に記載のシステムにおいて、ブレーキ・アクチュエータとして、電気油圧制御ユニット、電子的制御可能ブレーキ・ブースタ、またはワイヤによるブレーキ機器を設ける、システム。
【請求項１１】
請求項１〜１０のいずれか１項に記載のシステムにおいて、前記目標変数v_ZIELは、ＨＤＣモードにおいて坂下りを行うことを意図する所望の速度である、システム。
【請求項１２】
請求項１１記載のシステムにおいて、前記所望の速度は、既定の一定変数、またはある範囲内において動作要素を用いて運転者が選択可能な変数のいずれかである、システム。
【請求項１３】
請求項１２記載のシステムにおいて、前記所望の速度は、前記自動車内に設けられている巡航制御動作要素によって調節可能である、システム。
【請求項１４】
請求項１１または１２記載のシステムにおいて、前記所望の速度は、前記加速ペダルを作動させることによって運転者によって上昇させることができ、前記ブレーキ・ペダルを作動させることによって低下させることができる、システム。
【請求項１５】
請求項１〜１４のいずれか１項に記載のシステムにおいて、前記所望の速度は、現在運転している道路の傾斜に応じて変化することができ、傾斜が急な程、所望の速度は低くなる、そしてその逆である、システム。
【請求項１６】
請求項２〜１５のいずれか１項に記載のシステムにおいて、運転者が前記ＨＤＣモードを活性化することを望むとき、第１ステップにおいて、前記ＯＮ／ＯＦＦ信号は、動作要素によって前記システムに伝達される、システム。
【請求項１７】
請求項１６記載のシステムにおいて、第２ステップにおいて、前記ＨＤＣモードの活性化の前に、このような活性化を確認のために監視する、システム。
【請求項１８】
請求項１７記載のシステムにおいて、確認の監視のために、前記自動車の動作状態から得た特定の判断基準を監視する、システム。
【請求項１９】
請求項１８記載のシステムにおいて、前記自動車の以下の動作状態を監視する、システム。
（ｉ）現在の自動車の速度は低速未満か、および／または
（ｉｉ）低いギアが係合されているか、および／または
（ｉｉｉ）自動車が上り坂を運転していないか。
【請求項２０】
請求項１９記載のシステムにおいて、前記監視に対して肯定的な結果の場合、第３ステップにおいて、前記基準変数v_SOLLを前記目標関数v_ZIELに合わせる、システム。
【国際調査報告】
2009505892.tif 000005
2009505892.tif 000006
2009505892.tif 000007
2009505892.tif 000008
2009505892.tif 000009
2009505892.tif 000010